(57)【要約】      （修正有）【課題】キー増設用の仮名表示のデンワキー及びキー増設用の英字表示のデンワキーとローマ字入力によるキー増設用の英字表示のデンワキーにおいて、素早く弾いて入力できるフリックで入力出来る日本語入力方法を提供する。【解決手段】タッチパネルの隅に五段キーを配置せず、タッチパネルの隅に接する箇所では余白又は選択キーを配置し、五段キーによる入力及び任意により五段ガイドの表示が可能な状態で文字キーを設定するが、文字入力キーと機能キー等を配置し、キーボードとして設定するにおいて、一列の横方向や縦方向に配置するや、二列の横方向や縦方向に配置する等、文字入力キーと機能キー等の数に合わせて任意による配置が可能で、配置において升目状や上下がずれた升目等により構成された任意の枠により設定が可能になる。【選択図】図１
2019204375.tif 000002
【特許請求の範囲】
【請求項１】
タッチパネルの枠内で日本語を入力する画面上のキーボードのキーにおいて、
キーは「あ」段を表記してトグル入力が兼用可能なフリック入力が可能で、
キーのタップと該キーのタップにより入力される文字と同じ行の他段の４文字を４方向に弾いて（移動して）５文字の中から選択して入力するフリック入力では、
「あ」、「か」、「さ」、「た」、「な」、「は」、「ま」、「ら」、「が」、「ざ」、「だ」、「ば」、「ぱ」、小文字の「ぁ」による１４個の「あ」段を表記したキーにより実施が可能で、
該１４個の各キーを「五段キー」とし、
該五段キー以外で、
「や」、「わ」、小文字の「ゃ」と母音を含まない「ん」を含み任意により選択される句続点や記号、文字等を表記したキーや機能キーを「選択キー」とし、
該選択キーからのフリックガイドを「選択ガイド」とし、
フリック入力とスライド入力が兼用するキーからのガイドを「スライド兼用ガイド」とし、
五段キーからのフリックガイドを「五段ガイド」とする、
タッチパネルに設定されるトグル入力、フリック入力、スライド入力を具備して日本語を入力するキーボードにおいて、
タッチパネルの各辺に接する箇所では余白又は選択キーを配置し、
五段キーによる入力及び任意により五段ガイドの表示が可能な状態で文字キーを設定するが、
文字入力キーと機能キー等を配置し、キーボードとして設定するにおいて、
一列の横方向や縦方向に配置するや、
二列の横方向や縦方向に配置する等、
文字入力キーと機能キー等の数に合わせて任意による配置が可能で、
配置において升目状や上下がずれた升目等により構成された任意の枠により設定が可能である、
平仮名又は英字により「あ」段を表記したキーにより構成されたキーボードにおいて、
キー操作により入力される文字等は同じだが、
「あ」段を表記した各キー毎における表記を任意により平仮名、英字の表記に変更し、
平仮名又は英字により「あ」段を表記したキーにより構成されたキーボードにおいて、
「あ」段を表記した各キーの表記をカタカナに変更し、
該変更したキー操作により入力される文字をカタカナにする、
英字による五段キー、選択キー、機能キーによる文字入力キーが
構成されたキーボードにおいて、
仮名変換機能によるローマ字入力の機能を具備し、
キーのタップにおいて、該キーに表記された英字を入力し、
五段キー又は選択キーにおける文字キーにおいて、
該キーに表記された英字が子音の場合は該子音と五段キー又は選択キーにより選択された文字の母音英字を入力し、
「Ｎ」と「Ｙ」の表記以外のキーのタップによる入力において、
カーソル末尾が子音英字の場合は、
先に母音英字の「Ａ」を入力し、
該キーに表記された子音を入力する、
カーソルの末尾が３文字の子音の場合、先頭の子音の次に「Ａ」を入力する方法を具備し、
日本語を入力するキーボードにおいて、
五段キーを入力可能な状態で、
全ての文字が入力可能に文字入力キーを設定するにおいて、
任意のよる配置により設定する方法であり、
キーボードの設定によるＯＳは任意で、タッチパネルを具備した機器で実施する
事を特徴とする仮名又は英字による濁音、半濁音からのフリックによる日本語入力。
【発明の詳細な説明】
【技術分野】
【０００１】
本発明は、ソフトキーによる仮名及びローマ字による日本語入力方法に関するものである。
【背景技術】
【０００２】
従来の日本語によるローマ字入力は、一般的にクウォーティー（ＱＷＥＲＴＹ）配列による英字のキーボード、子音と母音の英字から成るキーボード等からローマ字綴りの読み順で子音、母音の英字がカーソルに転送されるなか、仮名変換処理後、仮名漢字変換方法により日本語の入力をしていて、一部のソフト英字キーから関連する英字の小文字、大文字、記号等を該当キーのフリック及びスライド操作により一文字を入力していた。
【０００３】
日本語入力方法としてのフリック入力及びジェスチャー入力とは、タッチパネル上に電話配列のキー風に配置されたキーボードで、
該キーボードを「デンワキー（テンキー）」とし、
該デンワキーは五十音配列の各行の「あ」段の１０文字「あ、か、さ、た、な、は、ま、や、ら、わ」が表記されたキーを「「あ」段キー」とし、
該「あ」段キーと入力した文字を濁音、半濁音、小文字に変換する機能キーと、
句続点、記号等を入力する文字キー等により構成され、
該構成されたキーにおいて、その他の「あ」段を表記するキーを含み、全ての仮名文字を入力するのに必要な各キーを「文字入力キー」とし、
該文字入力キーにおける清音「あ」段キーの周囲又は、
該キー上部に十字方向（フリックガイド）に
「い」段、「う」段、「え」段、「お」段の4段が潜在的に配置されており、「あ」段表示のキーをタップ又は、フリック（弾く）か接触を移動させることで、清音の仮名一文字を入力する方法や、
各キーに花びら状（ジェスチャーガイド、フラワータッチ）に各行と小文字等が表示され画面上を上下方向にスライドやフリックすることで仮名の一文字を入力する方法があった。
【０００４】
タッチパネル上に濁音、半濁音を含む子音読みの英字キーを配置し、該当するキーに子音から成る行の５個の大文字をキー内のタッチペン操作により仮名の１文字を選択する入力方法が知られている（特許文献１参照）。
【０００５】
仮名デンワキーにおいて、左右の端に設定された機能キーを対象に、
濁音、半濁音、小文字等の「あ」段を表記するキーと交換する方法や
濁音、半濁音、小文字等の「あ」段を表記するキーを仮名デンワキーに接する状態で増設する方法により設定したキーボードを「キー増設用の仮名表示のデンワキー」とし、
該キー増設用の仮名表示のデンワキーにおけるキー表記において、
文字の母音及び子音を英字の母音及び子音に表記する方法による、英字表記によるキー増設用の仮名表示のデンワキーを「キー増設用の英字表示のデンワキー」とし、
該キー増設用の英字表示のデンワキーにローマ字入力を具備した日本語入力方法によるキーボードを「ローマ字入力によるキー増設用の英字表示のデンワキー」とする
事を特徴とする仮名又は英字による濁音、半濁音からのフリックによる日本語入力方法があった（特許文献２参照）。
【０００６】
【特許文献１】特開平８−２７２７８７号公報
【特許文献２】特願２０１４−１８０６９４号公報
【発明の概要】
【発明が解決しようとする課題】
【０００７】
キー増設用の仮名表示のデンワキー及びキー増設用の英字表示のデンワキーとローマ字入力によるキー増設用の英字表示のデンワキーにおいて、
「あ」段を表記したキーにおける濁音、半濁音及び該濁音、半濁音の子音によるキーによる一部キーには、
タッチパネルの端に設定されているので、
素早く弾いて入力できるフリックと
スライド操作を併用して文字を入力している。
【０００８】
平仮名を明記したキーによるキー増設用の仮名表示のデンワキーと英字を明記したキーによるキー増設用の英字表示のデンワキーにおいて、全てが平仮名か全てが英字を表記したキーボードしかなかった。
【０００９】
カタカナを入力するのに平仮名の文字から選択するので、カタカナに変更することによる文字のイメージが確認できなかった。
【課題を解決するための手段】
【００１０】
タッチパネルの枠内で日本語を入力する画面上のキーボードのキーにおいて、
キーは「あ」段を表記してトグル入力が兼用可能なフリック入力が可能で、
キーのタップと該キーのタップにより入力される文字と同じ行の他段の４文字を４方向に弾いて（移動して）５文字の中から選択して入力するフリック入力では、
「あ」、「か」、「さ」、「た」、「な」、「は」、「ま」、「ら」、「が」、「ざ」、「だ」、「ば」、「ぱ」、小文字の「ぁ」による１４個の「あ」段を表記したキーにより実施が可能で、
該１４個の各キーを「五段キー」とし、
該五段キー以外で、
「や」、「わ」、小文字の「ゃ」と母音を含まない「ん」を含み任意により選択される句続点や記号、文字等を表記したキーや機能キーを「選択キー」とし、
該選択キーからのフリックガイドを「選択ガイド」とし、
フリック入力とスライド入力が兼用するキーからのガイドを「スライド兼用ガイド」とし、
五段キーからのフリックガイドを「五段ガイド」とする。
【００１１】
タッチパネルに設定されるトグル入力、フリック入力、スライド入力を具備して日本語を入力するキーボードにおいて、
タッチパネルの各辺に接する箇所では余白又は選択キーを配置し、
五段キーによる入力及び任意により五段ガイドの表示が可能な状態で文字キーを設定するが、
文字入力キーと機能キー等を配置し、キーボードとして設定するにおいて、
一列の横方向や縦方向に配置するや、
二列の横方向や縦方向に配置する等、
文字入力キーと機能キー等の数に合わせて任意による配置が可能で、
配置において升目状や上下がずれた升目等により構成された任意の枠により設定が可能である。
【００１２】
平仮名又は英字により「あ」段を表記したキーにより構成されたキーボードにおいて、
キー操作により入力される文字等は同じだが、
「あ」段を表記した各キー毎における表記を任意により平仮名、英字の表記に変更する。
【００１３】
平仮名又は英字により「あ」段を表記したキーにより構成されたキーボードにおいて、
「あ」段を表記した各キーの表記をカタカナに変更し、
該変更したキー操作により入力される文字をカタカナにする。
【００１４】
英字による五段キー、選択キー、機能キーによる文字入力キーが
構成されたキーボードにおいて、
仮名変換機能によるローマ字入力の機能を具備し、
キーのタップにおいて、該キーに表記された英字を入力し、
五段キー又は選択キー及び任意により追加された文字キーにおいて、
該キーに表記された英字が子音の場合は該子音と五段キー又は選択キーにより選択された文字の母音英字を入力し、
「Ｎ」と「Ｙ」の表記以外のキーのタップによる入力において、
カーソル末尾が子音英字の場合は、
先に母音英字の「Ａ」を入力し、
該キーに表記された子音を入力する、
カーソルの末尾が３文字の子音の場合、
先頭の子音の次に「Ａ」を入力する方法を具備する。
【００１５】
日本語を入力するキーボードにおいて、
五段キーを入力可能な状態で、
全ての文字が入力可能に文字入力キーを設定するにおいて、
任意のよる配置により設定する方法であり、
キーボードの設定によるＯＳは任意で、タッチパネルを具備した機器で実施する。
【発明の効果】
【００１６】
五段入力による五段キーを設定することにより素早い入力が可能となり、
各キーにおける文字表記を変更することにより、
該キーの配置位置が一段と認識しやすくなり、
カタカナ表記のキーボードからのカタカナ入力は、
実際に入力されるカタカナを確認しながら入力でき、
英字表記のキーボードからのローマ字入力においては、
拗音入力においてはキー操作が少なく、
小文字の「っ」の入力は該当キーによる２回のタップで入力できる。
【図面の簡単な説明】
【００１７】
【図１】デンワキーの入力画面、キー増設用の仮名表示のデンワキーの入力画面と本願の２０枠１７キーの入力画面による比較図
【図２】デンワキーとキー増設用の仮名表示のデンワキーにおける各ガイド図
【図３】本願の２０枠１７キーにおいて「ぱてんと」と入力するにおける各ガイド図
【図４】キーの表記において任意による箇所を英字に交換しても同じキー位置からの同じ操作により同じ文字が入力される本願の各２０枠１７キーにおけるキー表記の比較図
【図５】キーの表記において任意による箇所を英字に交換しても同じキー位置からの同じ操作により同じ文字が入力される本願の各１５枠１５キーにおけるキー表記の比較図
【図６】図５での本願の各１５枠１５キーにおけるキー操作により表示される各ガイド図
【図７】英字、平仮名、英和混合により表記されているキーにおいて同じキー位置からの同じ操作により同じ文字が入力される本願の各１８枠１７キーにおけるキー表記の比較図
【図８】図7での本願の各１８枠１７キーにおけるキー操作により表示される各ガイド図
【図９】カタカナ表記のキーによりカタカナが入力される本願における２０枠１７キー、１５枠１５キー、１８枠１７キーの各入力画面図
【図１０】英字表記のキーからローマ字入力が実施される本願における２０枠１７キー、１５枠１５キー、１８枠１７キーの各入力画面図
【図１１】図１０での本願による２０枠１７キー、１５枠１５キー、１８枠１７キーにおけるキー操作により表示される各ガイド図
【符号の説明】
【００１８】
Ａ  ２０枠１７キー入力画面
Ｂ  １５枠１５キー入力画面
Ｃ  １８枠１７キー入力画面
Ｄ  ローマ字入力画面
Ｅ  デンワキー入力画面
Ｆ  選択ガイド
Ｇ  五段ガイド
Ｈ  ローマ字ガイド
Ｊ  選択キー
Ｋ  五段キー
Ｍ  機能キー
Ｓ  スライド兼用ガイド
【発明を実施するための形態】
【実施例１】
【００１９】
図１の左側がアンドロイド系端末のデンワキー入力画面（Ｅ１）で、
デンワキーから
「は」と表記した五段キー（Ｋ１Ｈ）をタップ、
「小」と表記された機能キー（Ｍ１Ｘ）を２回タップ、
「た」と表記した五段キー（Ｋ１Ｔ）を右にフリック、
「わ」と表記した選択キー（Ｊ１Ｗ）を上にフリック、
「た」と表記した五段キー（Ｋ１Ｔ）を下にフリックし、
タップが３回、フリックが３回の操作によりカーソル左側に「ぱてんと」と表示され、
図１の中央がアップル系端末のキー増設用の英字表示のデンワキー入力画面（Ｅ２）で、
キー増設用の英字表示のデンワキーから
「Ｐ」と表記した選択キー（Ｊ２Ｐ）をタップ、
「Ｔ」と表記した五段キー（Ｋ２Ｔ）を右にフリック、
「Ｗ」と表記した選択キー（Ｊ２Ｗ）を上にフリック、
「Ｔ」と表記した選択キー（Ｊ２Ｔ）を下にフリックし、
タップが１回、フリックが３回の操作によりカーソル左側に「ぱてんと」と表示され、
図１の右側がアンドロイド系端末で、
横方向に６個、縦方向に５個の桝目による３０個のキーから構成され、
左右の端を機能キーに挟まれ、
デンワキーにおける１２個の文字入力キー周辺に、
同様な規格による濁音、半濁音、小文字の「ぁ」の五段キーと小文字の「ゃ」や「ん」の選択キーを含む４×５による２０の枠内に収納するよう構成されたキーボードを平仮名表記のキーにより構成された平仮名「２０枠１７キー」とし、
該平仮名による２０枠１７キーにより文字入力する画面が平仮名２０枠１７キー入力画面（Ａ１）で、
平仮名２０枠１７キーから
「ぱ」と表記した五段キー（ＫＡＰ）をタップ、
「た」と表記した五段キー（ＫＡＴ）を右にフリック、
「ん」と表記した選択キー（ＪＡＮＮ）をタップ、
「た」と表記した五段キー（ＫＡＴ）を下にフリックし、
タップが２回、フリックが２回の操作によりカーソル左側に「ぱてんと」と表示され、
同じ「ぱてんと」と入力するのに２０枠１７キーでは、混合
デンワキーよりタップ１回とフリック１回分少なく、
キー増設用の英字表示のデンワキーより１回のフリック操作を簡単なタップ操作に変更することが出来、
本願の２０枠１７キーは、
全ての「あ」段表記のキー操作をフリックだけで実施できる事を図１で比較している。
【００２０】
図２は図１における各デンワキーにおいて入力により表示される各ガイド図で、
デンワキー入力画面（Ｅ１）では、
「は」と表記した五段キー（Ｋ１Ｈ）からの表示が上段左の五段ガイド（Ｇ１Ｈ）、
「わ」と表記した選択キー（Ｊ１Ｗ）からの表示が上段中央の選択ガイド（Ｆ１Ｗ）、
「た」と表記した五段キー（Ｋ１Ｔ）からの表示が上段右の五段ガイド（Ｇ１Ｔ）で、
キー増設用の英字表示のデンワキー入力画面（Ｅ２）では、
「Ｐ」と表記した選択キー（Ｊ２Ｐ）からの表示が下段左のスライド兼用ガイド（Ｓ２Ｐ）、
「Ｗ」と表記した選択キー（Ｊ２Ｗ）からの表示が下段中央のスライド兼用ガイド（Ｓ２Ｗ）、
「Ｔ」と表記した五段キー（Ｋ２Ｔ）からの表示が下段右の五段ガイド（Ｇ２Ｔ）が表示された図である。
【００２１】
図３は図１における平仮名２０枠１７キーにおいて入力により表示される各ガイド図で、
平仮名２０枠１７キー入力画面（Ａ１）では、
「ぱ」と表記した五段キー（ＫＡＰ）からの表示が上段左の五段ガイド（ＧＡＰ）、
「ん」と表記した選択キー（ＪＡＮＮ）からの表示が上段中央の選択ガイド（ＦＡＮＮ）、
「た」と表記した五段キー（ＫＡＴ）からの表示が上段右の五段ガイド（ＧＡＴ）で、
「小ゃっ」と表記した選択キー（ＪＡＸ）からの表示が下段左の選択ガイド（ＦＡＸ）、
「か」と表記した五段キー（ＫＡＫ）からの表示が下段中央の五段ガイド（ＧＡＫ）が表示された図である。
【００２２】
図１における平仮名２０枠１７キー入力画面（Ａ１）の平仮名２０枠１７キーで
「た」と表記した五段キー（ＫＡＨ）を選択し、
表示された図３上段右の五段ガイド（ＧＡＴ）を目安にして下にフリック（「と」が入力）、
「小ゃっ」と表記された選択キー（ＪＡＸ）を選択し、
表示された図３下段左の選択ガイド（ＦＡＸ）を目安にして左にフリック（小文字の「っ」が入力）、
「か」と表記した五段キー（ＫＡＫ）を選択し、
表示された図３下段中央の五段ガイド（ＧＡＫ）を目安にして左にフリック（「き」が入力）、
「小ゃっ」と表記された選択キー（ＪＡＸ）を選択し、
表示された図３下段左の選択ガイド（ＦＡＸ）を目安にして下にフリック（小文字の「ょ」が入力）で、
「とっきょ」がカーソル左に入力されるが、
図４における左側の英字だけで表記されたキーによる英字２０枠１７キー入力画面（Ａ２）と
中央の清音が英字で表記されたキーによる清音英字２０枠１７キー入力画面（Ａ３）と
右側の任意の箇所を英字で表記されたキーによる和英混合２０枠１７キー入力画面（Ａ５）は
前記平仮名２０枠１７キーと同じキー操作により同じ「とっきょ」の文字がカーソル左に入力されている図である。
【００２３】
２０枠１７キーにおける文字入力キーにおいて、
デンワキーにおける文字配置を踏襲しているが、
五段キーによる操作が可能であれば、
任意によりキーの配置を変更可能である。
【実施例２】
【００２４】
横方向に７個、縦方向に４個の桝目による２８個のキーから構成され、
清音、濁音、半濁音による「あ」段の文字による五段キーや選択キーによる
５×３による１５の枠内に収納した各キーを、
左右の端を機能キーで挟み、
下段は文字を小文字に変換する機能キーや記号を入力する選択キーを含むキーにより凹状に収納するよう構成されたキーボードを
平仮名表記のキーにより構成された平仮名「１５枠１５キー」とし、
図５における左側の平仮名１５枠１５キー入力画面（Ｂ１）と、
中央の英字１５枠１５キー入力画面（Ｂ２）と、
右側の和英混合１５枠１５キー入力画面（Ｂ３）は、
同じ位置による同じキー操作により同じ「とっきょ」の文字がカーソル左に入力されている図である。
【００２５】
図５における各１５枠１５キーのキー操作による文字入力において、
「た」、「Ｔ」、「Ｔ」と表記した各五段キー（ＫＢ１Ｔ）、（ＫＢ２Ｔ）、（ＫＢ３Ｔ）に接することで、
図６の左側列に表示された各五段ガイド（ＧＢ１Ｔ）、（ＧＢ２Ｔ）、（ＧＢ３Ｔ）が表示され、
下にフリック（「と」が入力）、
「た」、「Ｔ」、「Ｔ」と表記した各五段キー（ＫＢ１Ｔ）、（ＫＢ２Ｔ）、（ＫＢ３Ｔ）に接することで、
図６の左側列に表示された各五段ガイド（ＧＢ１Ｔ）、（ＧＢ２Ｔ）、（ＧＢ３Ｔ）が表示され、
上にフリック（「つ」が入力）、
「小」、「小」、「小」と表記した各機能キー（ＭＢ１Ｘ）、（ＭＢ２Ｘ）、（ＭＢ３Ｘ）に接することで、
図６の右側列に表示された各選択ガイド（ＦＢ１Ｘ）、（ＦＢ２Ｘ）、（ＦＢ３Ｘ）が表示され、
接しているのを開放する操作によるタップを実施（「つ」が小文字の「っ」に変更）、
「か」、「Ｋ」、「Ｋ」と表記した各五段キー（ＫＢ１Ｋ）、（ＫＢ２Ｋ）、（ＫＢ３Ｋ）に接することで、
図６の中央列に表示された各五段ガイド（ＧＢ１Ｋ）、（ＧＢ２Ｋ）、（ＧＢ３Ｋ）が表示され、
左にフリック（「き」が入力）、
「小」、「小」、「小」と表記した各機能キー（ＭＢ１Ｘ）、（ＭＢ２Ｘ）、（ＭＢ３Ｘ）に接することで、
図６の右側列に表示された各選択ガイド（ＦＢ１Ｘ）、（ＦＢ２Ｘ）、（ＦＢ３Ｘ）が表示され、
右にフリック（小文字の「ょ」が入力）すると「とっきょ」が各カーソル左に入力される１５枠１５キーによる文字入力方法である。
【００２６】
１５枠１５キーおける「あ」段表記のキーにおいて、
「あかさたな」の順にキーを配置しているが、任意により配置は変更可能である。
【実施例３】
【００２７】
横方向に８個、縦方向に４個の桝目による３２個のキーから構成され、
清音、濁音、半濁音、小文字の「ぁ」、「ゃ」による「あ」段の１７文字と「ん」を含む五段キーや選択キーによる
６×３による１８の枠内に収納した各キーを、
左右の端を機能キーで挟み、
下段は記号を入力する選択キーを含む機能キーにより凹状に収納するよう構成され、
文字の配置は、
英字に表記されたキーにおいて、
「ＱＷＥＲＴＹ」配列に似た配置位置を優先して設定されたキーボードを
英字表記のキーにより構成された英字「１８枠１7キー」とし、
図７における左側の英字１８枠１７キー入力画面（Ｃ２）と、
中央の平仮名表記のキーにより構成された平仮名１８枠１７キー入力画面（Ｃ１）と、
右側の任意のキーを英字表記にしたキーを含む和英混合１８枠１７キー入力画面（Ｃ３）は、
同じキー操作により同じ「とっきょ」の文字が各カーソル左に入力されている図である。
【００２８】
図７における各１８枠１7キーのキー操作による文字入力において、
「Ｔ」、「た」、「Ｔ」と表記した各五段キー（ＫＣ２Ｔ）、（ＫＣ１Ｔ）、（ＫＣ３Ｔ）に接することで、
図８の右側列に表示された各五段ガイド（ＧＣ２Ｔ）、（ＧＣ１Ｔ）、（ＧＣ３Ｔ）が表示され、
下にフリック（「と」が入力）、
「ＸＹＡ」、「小ゃっ」、「小ゃっ」と表記した各選択キー（ＪＣ２Ｘ）、（ＪＣ１Ｘ）、（ＪＣ３Ｘ）に接することで、
図８の左側列に表示された各選択ガイド（ＦＣ２Ｘ）、（ＦＣ１Ｘ）、（ＦＣ３Ｘ）が表示され、
左にフリック（小文字の「つ」が入力）、
「Ｋ」、「か」、「Ｋ」と表記した各五段キー（ＫＣ２Ｋ）、（ＫＣ１Ｋ）、（ＫＣ３Ｋ）に接することで、
図８の中央列に表示された各五段ガイド（ＧＣ２Ｋ）、（ＧＣ１Ｋ）、（ＧＣ３Ｋ）が表示され、
左にフリック（「き」が入力）、
「ＸＹＡ」、「小ゃっ」、「小ゃっ」と表記した各機能キー（ＪＣ２Ｘ）、（ＪＣ１Ｘ）、（ＪＣ３Ｘ）に接することで、
図８の左側列に表示された各選択ガイド（ＦＣ２Ｘ）、（ＦＣ１Ｘ）、（ＦＣ３Ｘ）が表示され、
下にフリック（小文字の「ょ」が入力）すると「とっきょ」が各カーソル左に入力される１８枠１7キーによる文字入力方法である。
【００２９】
１８枠１7キーにおける「あ」段と「ん」を表記したキーにおいて、
「ＱＷＥＲＴＹ」風に配置しているが任意によりキーの配置を変更可能である。
【実施例４】
【００３０】
図９はキーの表記をカタカナ表記のキーに変更し、
該キーから入力される文字もカタカナに変更してカーソルに入力する方法による
カタカナ２０枠１７キー入力画面（Ａ４）と
カタカナ１５枠１５キー入力画面（Ｂ４）と
カタカナ１８枠１７キー入力画面（Ｃ４）により
各カーソル左に「トッキョ」と入力した各実施図であり、
任意によりキーの配置が変更された本願の各キーボードにおいても同様に実施可能である。
【実施例５】
【００３１】
図１０は図４、図５、図７における英字表記のキーボードにおいて、
仮名変換機能によるローマ字入力の機能を具備し、
キーのタップにおいて、該キーに表記された英字を入力し、
キーの五段入力又は選択入力において、
該キーに表記された英字が子音の場合は該子音と五段入力又は選択入力により選択された文字の母音英字を入力し、
「Ｎ」表記以外のキーのタップによる入力において、
カーソルに表示されている子音英字と
ローマ字入力における子音による拗音の組み合わせ要素以外での子音の入力は、
先に母音英字の「Ａ」を入力し、該キーに表記された子音を入力する方法を具備した
２０枠１７キーによるローマ字入力画面（ＤＡ）と
１５枠１５キーによるローマ字入力画面（ＤＢ）と
１８枠１７キーによるローマ字入力画面（ＤＣ）により
各カーソル左に「とＫＫＹ」と入力した各実施図である。
【００３２】
図１０における２０枠１７キーによるローマ字入力画面（ＤＡ）では、
「Ｔ」と表記した五段キー（ＫＤＡＴ）に接することで、
図１１の上段左１番目に表示されたローマ字ガイド（ＨＡＴ）が表示され、
下にフリック（「と」が入力）し、
「Ｋ」と表記した五段キー（ＫＤＡＫ）に接することで、
図１１の上段左２番目に表示されたローマ字ガイド（ＨＡＫ）が表示され、
２回タップ（「Ｋ」と「Ｋ」が入力）し、
「Ｙ」と表記した選択キー（ＪＤＡＹ）に接することで、
図１１の上段左３番目に表示されたローマ字ガイド（ＨＡＹ）が表示され、
「Ｙ」がカーソルに追加され、カーソル左には「とＫＫＹ」と表示された状態で、
下にフリックするとカーサルに「Ｏ」が入力され、
「とＫＫＹＯ」になるが、
仮名変換機能により「とっきょ」の表示に変換されるが、
単独で小文字を入力するには、
「ＸＹＡ」と表記してある選択キーからで、
接することにより図１１の上段右に表示されたローマ字ガイド（ＨＡＫ）に「ゃ、ゅ、ょ、っ」の選択可能な文字が表示されていて、
「ＬＡ」と表記してある五段キーからは「ＬＡ（ぁ）、ＬＩ（ぃ）、ＬＵ（ぅ）、ＬＥ（ぇ）、ＬＯ（ぉ）」の文字が選択可能で、
「Ｗ」と表記してある選択キーからは「ＷＡ（わ）、ＷＯ（を）、ＮＮ（ん）、ー（長音符）」の文字が選択可能である。
【００３３】
図１０における１５枠１５キーによるローマ字入力画面（ＤＢ）では、
「Ｔ」と表記した五段キー（ＫＤＢＴ）に接することで、
図１１の中段左１番目に表示されたローマ字ガイド（ＨＢＴ）が表示され、
下にフリック（「と」が入力）し、
「Ｋ」と表記した五段キー（ＫＤＢＫ）に接することで、
図１１の中段左２番目に表示されたローマ字ガイド（ＨＢＫ）が表示され、
２回タップ（「Ｋ」と「Ｋ」が入力）し、
「Ｙ」と表記した選択キー（ＪＤＢＹ）に接することで、
図１１の中段左３番目に表示されたローマ字ガイド（ＨＢＹ）が表示され、
「Ｙ」がカーソルに追加され、カーソル左には「とＫＫＹ」と表示された状態で、
下にフリックするとカーサルに「Ｏ」が入力され、
「とＫＫＹＯ」になるが、
仮名変換機能により「とっきょ」の表示に変換される、
単独での小文字入力は該当する大文字を入力し、
「小」と表記された機能キー（ＭＤＢＸ）のタップにより大文字を小文字に変換して入力し、
「Ｗ」と表記された選択キーからは「ＷＡ（わ）、ＷＯ（を）、ＮＮ（ん）、ー（長音符）、ＸＷＡ（小文字の「ゎ」）」の文字が選択可能で全ての文字が入力可能である。
【００３４】
図１０における１８枠１７キーによるローマ字入力画面（ＤＣ）では、
「Ｔ」と表記した五段キー（ＧＤＣＴ）に接することで、
図１１の下段左１番目に表示されたローマ字ガイド（ＨＣＴ）が表示され、
下にフリック（「と」が入力）し、
「Ｋ」と表記した五段キー（ＧＤＣＫ）に接することで、
図１１の下段左２番目に表示されたローマ字ガイド（ＨＣＫ）が表示され、
２回タップ（「Ｋ」と「Ｋ」が入力）し、
「Ｙ」と表記した五段キー（ＧＣＢＹ）に接することで、
図１１の下段左３番目に表示されたローマ字ガイド（ＨＣＹ）が表示され、
「Ｙ」が追加され、カーソルに「とＫＫＹ」と表示された状態で、
下にフリックするとカーサルに「Ｏ」が入力され、
「とＫＫＹＯ」になるが、
仮名変換機能により「とっきょ」の表示に変換され、
小文字の入力は
「Ｘ」と表記された選択キーにより小文字の「ＸＹＡ（ゃ）」、「ＸＹＵ「（ゅ）」、「ＸＹＯ（ょ）」、「ＸＴＵ（っ）」が選択でき、
又は、「Ｘ」又は「Ｌ」と表記された選択キーのタップ後に、
小文字を入力したい大文字を入力することで全ての小文字が入力可能である。
【００３５】
実施例５における、
ローマ字入力は任意であるが「ＷＩＮＤＯＷＳ（登録商標）」による仮名変換機能に基づき実施している。
【図１】
2019204375.tif 000003
【図２】
2019204375.tif 000004
【図３】
2019204375.tif 000005
【図４】
2019204375.tif 000006
【図５】
2019204375.tif 000007
【図６】
2019204375.tif 000008
【図７】
2019204375.tif 000009
【図８】
2019204375.tif 000010
【図９】
2019204375.tif 000011
【図１０】
2019204375.tif 000012
【図１１】
2019204375.tif 000013